(57)【要約】【構成】  第１ディスプレイ２８および第１ディスプレイ２８とは異なる位置に配置される第２ディスプレイ３０を備える画像形成装置１０であって、第１ディスプレイ２８をメインディスプレイとし、第２ディスプレイ３０をサブディスプレイとする。メインディスプレイには、所定の内容を含むメイン画面が表示される。メイン画面は、画像形成装置１０に関する内容を含む。メイン画面は、たとえば、設定画面、操作画面およびプレビュー画面などである。サブディスプレイには、メイン画面に含まれる内容に関連する内容を含むサブ画面が表示される。サブ画面には、支援情報、案内情報および補助入力キーなどが表示される。【効果】  ユーザに付加的な情報を提供することができる。【選択図】  図１
2018169415.tif 000002
【特許請求の範囲】
【請求項１】
第１表示装置、
前記第１表示装置とは異なる位置に配置される第２表示装置、および
前記第１表示装置および前記第２表示装置の一方に所定の内容を含むメイン画面を表示させ、当該第１表示装置および当該第２表示装置の他方に前記メイン画面に含まれる内容に関連する内容を含むサブ画面を表示させる制御手段を備える、画像形成装置。
【請求項２】
前記メイン画面は、前記画像形成装置を操作するための操作画面であり、
前記サブ画面は、前記操作画面におけるユーザの操作を支援する支援情報を含む、請求項１記載の画像形成装置。
【請求項３】
前記サブ画面は、ユーザの操作入力を受け付ける補助入力キーを含む、請求項１または２記載の画像形成装置。
【請求項４】
前記サブ画面は、前記メイン画面に含まれる内容を案内する案内情報を含む、請求項１ないし３のいずれかに記載の画像形成装置。
【請求項５】
前記画像形成装置の動作状況を検出する動作状況検出手段をさらに備え、
前記サブ画面は、前記動作状況検出手段によって検出された前記画像形成装置の動作状況に応じて、当該画像形成装置の動作状況を示す動作状況情報を含む、請求項１ないし４のいずれかに記載の画像形成装置。
【請求項６】
ユーザの所有物の有無を検出する物検出手段をさらに備え、
前記サブ画面は、ジョブが終了してから所定時間経過後、前記物検出手段によって前記所有物が有ることが検出された場合に、当該所有物の存在をユーザに報知するための報知情報を含む、請求項１ないし５のいずれかに記載の画像形成装置。
【請求項７】
前記第１表示装置および前記第２表示装置のそれぞれの不具合を検出する不具合検出手段、および
前記不具合検出手段によって不具合が検出された場合に、前記第１表示装置および前記第２表示装置のそれぞれが表示可能であるかどうかを判断する判断手段をさらに備え、
前記制御手段は、前記判断手段によって前記第１表示装置および前記第２表示装置の一方が表示可能であると判断された場合に当該第１表示装置および当該第２表示装置の一方に前記メイン画面を表示させ、当該第１表示装置および当該第２表示装置の両方が表示不可能であると判断された場合に当該第１表示装置および当該第２表示装置を非表示にする、請求項１ないし６のいずれかに記載の画像形成装置。
【請求項８】
前記画像形成装置を利用するユーザの当該画像形成装置に対する高さを検出する高さ検出手段をさらに備え、
前記制御手段は、前記高さ検出手段の検出結果に応じて、前記第１表示装置および前記第２表示装置の一方に、前記メイン画面を表示させる、請求項１ないし７のいずれかに記載の画像形成装置。
【請求項９】
第１表示装置および前記第１表示装置とは異なる位置に配置される第２表示装置を備える画像形成装置の制御プログラムであって、
前記画像形成装置のコンピュータを、
前記第１表示装置および前記第２表示装置の一方に所定の内容を含むメイン画面を表示させ、当該第１表示装置および当該第２表示装置の他方に前記メイン画面に含まれる内容に関連する内容を含むサブ画面を表示させる制御手段として機能させる、画像形成装置の制御プログラム。
【請求項１０】
第１表示装置および前記第１表示装置とは異なる位置に配置される第２表示装置を備える画像形成装置の制御方法であって、
前記画像形成装置のコンピュータは、
前記第１表示装置および前記第２表示装置の一方に所定の内容を含むメイン画面を表示させ、当該第１表示装置および当該第２表示装置の他方に前記メイン画面に含まれる内容に関連する内容を含むサブ画面を表示させるステップを含む、画像形成装置の制御方法。
【請求項１１】
第１表示装置を備える画像形成装置および当該画像形成装置と通信可能に接続され、第２表示装置を備える情報処理装置を含む画像形成システムであって、
前記第１表示装置および前記第２表示装置の一方に所定の内容を含むメイン画面を表示させ、当該第１表示装置および当該第２表示装置の他方に前記メイン画面に含まれる内容に関連する内容を含むサブ画面を表示させる制御手段を備える、画像形成システム。
【発明の詳細な説明】
【技術分野】
【０００１】
この発明は、画像形成装置、画像形成システム、制御プログラムおよび制御方法に関し、特にたとえば、複数の表示装置を備える、画像形成装置、画像形成システム、制御プログラムおよび制御方法に関する。
【背景技術】
【０００２】
背景技術の画像形成装置の一例が特許文献１に開示される。この特許文献１の画像形成装置は、第１の操作部および第１の操作部よりも低い位置に設けられた第２の操作部を備える。第１の操作部および第２の操作部のそれぞれには、画像形成装置の動作状態などを表示するＬＣＤが設けられる。また、背景技術の画像形成装置では、第２の操作部は、画像処理装置本体に設けられた扉が開放されることによって使用可能な状態となる。ただし、第２の操作部が使用可能な状態となる場合、第１の操作部は無効化され、使用不可の状態となる。また、第１の操作部は、画像処理装置本体に設けられた扉が閉じられた場合に、使用可能な状態となる。
【先行技術文献】
【特許文献】
【０００３】
【特許文献１】特開２００８−４０４２１号公報
【発明の概要】
【発明が解決しようとする課題】
【０００４】
上記のように、背景技術の画像形成装置は、ＬＣＤを有する２つの操作部を備える。しかしながら、背景技術の画像形成装置では、一方の操作部が使用可能な状態となる場合、他方の操作部が使用不可の状態となる。つまり、背景技術の画像形成装置では、２つのＬＣＤに同時に画像を表示することができない。
【０００５】
このように、背景技術の画像形成装置では、２つのＬＣＤを備えているものの、一方のＬＣＤのみにしか画像を表示することができないので、ユーザに提供される情報が限定されてしまう。このため、改善の余地がある。
【０００６】
それゆえに、この発明の主たる目的は、新規な、画像形成装置、画像形成システム、制御プログラムおよび制御方法を提供することである。
【０００７】
この発明の他の目的は、ユーザに付加的な情報を提供することができる、画像形成装置、画像形成システム、制御プログラムおよび制御方法を提供することである。
【課題を解決するための手段】
【０００８】
第１の発明は、第１表示装置、第２表示装置および制御手段を備える画像形成装置である。第１表示装置および第２表示装置は、たとえばＬＣＤまたはＥＬ（Electro-Luminescence）ディスプレイなどである。第２表示装置は、第１表示装置とは異なる位置に配置される。制御手段は、第１表示装置および第２表示装置の一方に所定の内容を含むメイン画面を表示させ、当該第１表示装置および当該第２表示装置の他方にメイン画面に含まれる内容に関連する内容を含むサブ画面を表示させる。たとえば、メイン画面は、設定画面、操作画面およびプレビュー画面などである。
【０００９】
第１の発明によれば、第１表示装置および第２表示装置の一方にメイン画面を表示させ、第１表示装置および第２表示装置の他方にメイン画面に含まれる内容に関連する内容を含むサブ画面を表示させる。このため、サブ画面からユーザに付加的な情報を提供することができる。
【００１０】
第２の発明は、第１の発明に従属する画像形成装置であって、メイン画面は、画像形成装置を操作するための操作画面であり、サブ画面は、操作画面におけるユーザの操作を支援する支援情報を含む。
【００１１】
第２の発明によれば、操作画面におけるユーザの操作を支援する支援情報をユーザに提示できるので、ユーザは、支援情報を見ながら画像形成装置を操作することができる。このため、使い勝手が良い。
【００１２】
第３の発明は、第１または第２の発明に従属する画像形成装置であって、サブ画面は、ユーザの操作入力を受け付ける補助入力キーを含む。
【００１３】
第３の発明によれば、サブ画面に補助入力キーが表示されるので、操作入力を受け付けるためにメイン画面に表示された内容を消去したり、メイン画面に表示された内容に補助入力キーが重なったりすることが無い。
【００１４】
第４の発明は、第１ないし第３のいずれかの発明に従属する画像形成装置であって、サブ画面は、メイン画面に含まれる内容を案内する案内情報を含む。
【００１５】
第４の発明によれば、メイン画面に含まれる内容を案内する案内情報をユーザに提示するので、ユーザがメイン画面の表示内容を理解しやすい。
【００１６】
第５の発明は、第１ないし第４のいずれかの発明に従属する画像形成装置であって、画像形成装置の動作状況を検出する動作状況検出手段をさらに備え、サブ画面は、動作状況検出手段によって検出された画像形成装置の動作状況に応じて、当該画像形成装置の動作状況を示す動作状況情報を含む。
【００１７】
第５の発明によれば、画像形成装置の動作状況を示す動作状況情報をユーザに提示するので、ユーザが画像形成装置の動作状況を理解しやすい。
【００１８】
第６の発明は、第１ないし第５のいずれかの発明に従属する画像形成装置であって、ユーザの所有物の有無を検出する物検出手段をさらに備え、サブ画面は、ジョブが終了してから所定時間経過後、物検出手段によって所有物が有ることが検出された場合に、当該所有物の存在をユーザに報知するための報知情報を含む。
【００１９】
第６の発明によれば、ジョブが終了してから所定時間経過後、ユーザの所有物が有ることが検出された場合に、当該所有物の存在をユーザに報知するための報知情報をユーザに提示するので、ユーザに所有物の存在を認識させることができ、その所有物の紛失を予防することができる。
【００２０】
第７の発明は、第１ないし第６のいずれかの発明に従属する画像形成装置であって、第１表示装置および第２表示装置のそれぞれの不具合を検出する不具合検出手段、および不具合検出手段によって不具合が検出された場合に、第１表示装置および第２表示装置のそれぞれが表示可能であるかどうかを判断する判断手段をさらに備え、制御手段は、判断手段によって第１表示装置および第２表示装置の一方が表示可能であると判断された場合に当該第１表示装置および当該第２表示装置の一方にメイン画面を表示させ、当該第１表示装置および当該第２表示装置の両方が表示不可能であると判断された場合に当該第１表示装置および当該第２表示装置を非表示にする。
【００２１】
第７の発明によれば、第１表示装置および第２表示装置において不具合が発生した場合であっても、第１表示装置および第２表示装置の一方が表示可能であれば、ユーザが画像形成装置を使用することができる。
【００２２】
第８の発明は、第１ないし第７のいずれかの発明に従属する画像形成装置であって、画像形成装置を利用するユーザの当該画像形成装置に対する高さを検出する高さ検出手段をさらに備え、制御手段は、高さ検出手段の検出結果に応じて、第１表示装置および第２表示装置の一方に、メイン画面を表示させる。
【００２３】
第８の発明によれば、ユーザの画像形成装置に対する高さに応じて、第１表示装置および第２表示装置の一方に、メイン画面を表示させる。このため、ユーザの目線の高さに応じて適切な位置にメイン画面を表示させることができるので、使い勝手が良い。
【００２４】
第９の発明は、第１表示装置および第１表示装置とは異なる位置に配置される第２表示装置を備える画像形成装置の制御プログラムであって、画像形成装置のコンピュータを、第１表示装置および第２表示装置の一方に所定の内容を含むメイン画面を表示させ、当該第１表示装置および当該第２表示装置の他方にメイン画面に含まれる内容に関連する内容を含むサブ画面を表示させる制御手段として機能させる。
【００２５】
第１０の発明は、第１表示装置および第１表示装置とは異なる位置に配置される第２表示装置を備える画像形成装置の制御方法であって、画像形成装置のコンピュータは、第１表示装置および第２表示装置の一方に所定の内容を含むメイン画面を表示させ、当該第１表示装置および当該第２表示装置の他方にメイン画面に含まれる内容に関連する内容を含むサブ画面を表示させるステップを含む。
【００２６】
第１１の発明は、第１表示装置を備える画像形成装置および当該画像形成装置と通信可能に接続され、第２表示装置を備える情報処理装置を含む画像形成システムであって、第１表示装置および第２表示装置の一方に所定の内容を含むメイン画面を表示させ、当該第１表示装置および当該第２表示装置の他方にメイン画面に含まれる内容に関連する内容を含むサブ画面を表示させる制御手段を備える。
【００２７】
第９ないし第１１の各発明においても、第１の発明と同様に、メイン画面およびサブ画面のそれぞれからユーザに付加的な情報を提供することができる。
【発明の効果】
【００２８】
この発明によれば、ユーザに付加的な情報を提供することができる。
【図面の簡単な説明】
【００２９】
【図１】図１はこの発明の一実施例である画像形成装置の外部構成を示す正面図である。
【図２】図２は図１に示す画像形成装置の電気的な構成を示すブロック図である。
【図３】図３は案内情報テーブルの一例を示す図解図である。
【図４】図４は補助入力テーブルの一例を示す図解図である。
【図５】図５は図２に示すＲＡＭのメモリマップの一例を示す図解図である。
【図６】図６は図１に示す画像形成装置の表示処理の一例を示すフロー図である。
【図７】図７は第２実施例の表示処理の一例を示すフロー図である。
【図８】図８は第３実施例の不具合処理の一例を示すフロー図である。
【図９】図９（Ａ）は第４実施例において或るユーザが画像形成装置を使用する場合を右側から見た側面図である。図９（Ｂ）は第４実施例において他のユーザが画像形成装置を使用する場合を右側から見た側面図である。
【図１０】図１０は第４実施例の画面選択処理の一例を示すフロー図である。
【図１１】図１１は変形例の画像形成システムの外部構成を示す正面図である。
【発明を実施するための形態】
【００３０】
［第１実施例］
図１はこの発明の一実施例である画像形成装置１０の外部構成を示す正面図である。
【００３１】
図１を参照して、第１実施例では、画像形成装置１０は、複写機能、プリンタ機能、スキャナ機能およびファクシミリ機能などを有する複合機（ＭＦＰ：Multifunction Peripheral）である。なお、この発明は複合機だけでなく、複写機（コピー機）、印刷装置（プリンタ）およびファクシミリのような他の画像形成装置に適用可能である。
【００３２】
画像形成装置１０は、画像読取部４０、画像形成部４２および給紙装置４６を含む装置本体４４を備える。
【００３３】
また、画像形成装置１０（装置本体４４）には、第１タッチパネル２４付きの第１ディスプレイ（第１表示装置）２８と、第２タッチパネル２６付きの第２ディスプレイ（第２表示装置）３０とが設けられる。
【００３４】
なお、この発明では、ユーザの立ち位置に対向する面、つまり第１ディスプレイ２８および第２ディスプレイ３０が設けられる側の面を前面（正面）として画像形成装置１０およびその構成部材の前後方向（奥行方向）を規定し、画像形成装置１０およびその構成部材の左右方向（横方向）は、ユーザから画像形成装置１０を見た状態を基準として規定する。
【００３５】
画像形成部４２は、給紙装置４６の上方に配置され、給紙装置４６に連結される。また、画像読取部４０は、画像形成部４２の上方に配置される。
【００３６】
また、装置本体４４は、画像読取部４０と画像形成部４２とを連結するための第１連結筐体４４ａおよび第２連結筐体４４ｂを備える。第１連結筐体４４ａは、画像形成部４２の右上上部（画像読取部４０の右下下部）に設けられる。第２連結筐体４４ｂは、画像形成部４２の奥側上部（画像読取部４０の奥側下部）に設けられる。第１連結筐体４４ａおよび第２連結筐体４４ｂによって画像読取部４０が支持される。これにより、画像読取部４０の下面側には、画像形成済みの記録媒体（用紙）が収容される胴内空間である胴内排紙部４８が形成される。
【００３７】
画像読取部４０は、透明材によって形成される原稿載置台を備え、装置本体４４に内蔵される。原稿載置台の上方には、ヒンジ等を介して原稿押えカバー４０ａが開閉自在に取り付けられる。
【００３８】
また、画像読取部４０は、光源、複数のミラー、結像レンズおよびラインセンサ等を備える。この画像読取部４０は、原稿表面を光源によって露光し、原稿表面から反射した反射光を複数のミラーによって結像レンズに導く。そして、結像レンズによって反射光をラインセンサの受光素子に結像させる。ラインセンサでは、受光素子に結像した反射光の輝度または色度が検出され、原稿表面の画像に基づく読取画像データが生成される。ラインセンサとしては、ＣＣＤ（Charge Coupled Device）またはＣＩＳ（Contact Image Sensor）等が用いられる。
【００３９】
画像形成部４２は、装置本体４４に内蔵され、画像読取部４０の下方に設けられる。この画像形成部４２は、露光ユニット、現像器、プロセスユニット、中間転写ベルトユニット、転写ローラおよび定着ユニットなどを備える。また、画像形成部４２は、給紙装置４６などから搬送される用紙上に画像を形成し、画像形成済みの用紙（印刷物）を胴内排紙部４８に排出する。画像形成に用いる形成画像データ（図５参照）としては、画像読取部４０によって原稿から読み取った画像データ（スキャン画像データ）または通信回路３２（図２参照）を介して外部のコンピュータから入力される画像データ（入力画像データ）などが用いられる。
【００４０】
また、画像形成装置１０において扱われる形成画像データは、ブラック（Ｋ）、シアン（Ｃ）、マゼンタ（Ｍ）およびイエロー（Ｙ）の４色のカラー画像に応じたものである。このため、現像器、感光体ドラム、クリーナユニットおよび帯電器のそれぞれは、各色に応じた４種類の潜像を形成するように４個ずつ設けられ、これらによって４つの画像ステーションが構成される。
【００４１】
感光体ドラムは、導電性を有する円筒状の基体の表面に感光層が形成された像担持体であり、帯電器は、この感光体ドラムの表面を所定の電位（たとえば、−６００Ｖ）に帯電させる部材である。また、露光ユニットは、レーザ出射部および反射ミラー等を備えたレーザスキャニングユニット(Laser scanning unit : LSU)として構成され、帯電された感光体ドラムの表面を露光することによって、形成画像データに応じた静電潜像を感光体ドラムの表面に形成する。現像器は、感光体ドラムの表面に形成された静電潜像を４色（ＹＭＣＫ）のトナーによって顕像化するものである。また、クリーナユニットは、現像および画像転写後における感光体ドラムの表面に残留したトナーをクリーニングブレードで除去し、除去したトナーを廃トナーボックス（図示せず）に搬送する。
【００４２】
中間転写ベルトユニットは、中間転写ベルト、駆動ローラ、従動ローラおよび４つの中間転写ローラ等を備え、感光体ドラムの上方に配置される。中間転写ベルトは、各感光体ドラムに接触するように設けられており、中間転写ローラを用いて、各感光体ドラムに形成された各色のトナー像を中間転写ベルトに順次重ねて転写することによって、中間転写ベルト上に多色のトナー像が形成される。また、駆動ローラの近傍には、転写ローラが配置されており、中間転写ベルトと転写ローラとの間のニップ域を用紙が通過することによって、中間転写ベルトに形成されたトナー像が用紙に転写される。
【００４３】
定着ユニットは、ヒートローラおよび加圧ローラを備え、転写ローラの上方に配置される。ヒートローラは、所定の定着温度となるように設定されており、ヒートローラと加圧ローラとの間のニップ域を用紙が通過することによって、用紙に転写されたトナー像が溶融、混合および圧接されて、用紙に対してトナー像が熱定着される。
【００４４】
第１ディスプレイ２８と第２ディスプレイ３０とは、上下方向において異なる位置に配置される。また、第１実施例では、第１ディスプレイ２８と第２ディスプレイ３０とは、左右方向においても異なる位置に配置される。
【００４５】
より具体的には、第１ディスプレイ２８は、画像読取部４０の前面側上部に配置される。また、第１ディスプレイ２８は、画像形成装置１０（画像読取部４０）の左右方向の中央よりも右側に配置される。ただし、第１ディスプレイ２８は、画像読取部４０の前面に設けられる支持部材４０ｂによって支持される。
【００４６】
第２ディスプレイ３０は、胴内排紙部４８の前面左側に配置される。つまり、第２ディスプレイ３０は、画像形成部４２の前面側上部に配置される。
【００４７】
このように、第１実施例では、第１ディスプレイ２８は、第２ディスプレイ３０よりも上側に配置される。また、第１ディスプレイ２８は、第２ディスプレイ３０よりも右側に配置される。
【００４８】
図２は図１に示す画像形成装置１０の電気的な構成を示すブロック図である。図２を参照して、画像形成装置１０はＣＰＵ１２を含む。ＣＰＵ１２には、バス６０を介してＲＡＭ１４、第１タッチパネル制御回路１６、第２タッチパネル制御回路１８、第１表示制御回路２０、第２表示制御回路２２、通信回路３２、画像読取部４０および画像形成部４２が接続される。
【００４９】
また、第１タッチパネル制御回路１６には第１タッチパネル２４が接続され、第２タッチパネル制御回路１８には第２タッチパネル２６が接続される。さらに、第１表示制御回路２０には第１ディスプレイ２８が接続され、第２表示制御回路２２には第２ディスプレイ３０が接続される。第１ディスプレイ２８および第２ディスプレイ３０としては、たとえばＬＣＤまたはＥＬディスプレイなどを用いることができる。
【００５０】
ＣＰＵ１２は、画像形成装置１０の全体的な制御を司る。ＲＡＭ１４は、ＣＰＵ１２のワーク領域およびバッファ領域として用いられる。
【００５１】
第１タッチパネル制御回路１６は、第１タッチパネル２４に必要な電圧などを付与するとともに、第１タッチパネル２４のタッチ有効範囲内でのタッチ操作（タッチ入力）を検出して、そのタッチ入力の位置を示すタッチ座標データをＣＰＵ１２に出力する。
【００５２】
第２タッチパネル制御回路１８は、第２タッチパネル２６に必要な電圧などを付与するとともに、第２タッチパネル２６のタッチ有効範囲内でのタッチ入力を検出して、そのタッチ入力の位置を示すタッチ座標データをＣＰＵ１２に出力する。
【００５３】
ただし、第１タッチパネル制御回路１６は、第１タッチパネル２４のタッチ座標データであることを示す所定の識別子を付したタッチ座標データをＣＰＵ１２に出力する。また、第２タッチパネル制御回路１８は、第２タッチパネル２６のタッチ座標データであることを示す所定の識別子を付したタッチ座標データをＣＰＵ１２に出力する。
【００５４】
第１タッチパネル２４および第２タッチパネル２６のそれぞれは、汎用のタッチパネルであり、静電容量方式、電磁誘導方式、抵抗膜方式、赤外線方式など、任意の方式のものを用いることができる。この第１実施例では、第１タッチパネル２４および第２タッチパネル２６としては、静電容量方式のタッチパネルが用いられる。第１タッチパネル２４は、第１ディスプレイ２８の表示面上に設けられる。第２タッチパネル２６は、第２ディスプレイ３０の表示面上に設けられる。ただし、タッチパネルとディスプレイとが一体的に形成されたタッチパネルディスプレイが用いられてもよい。この場合、第１タッチパネル２４と第１ディスプレイ２８とが一体的に形成され、第２タッチパネル２６と第２ディスプレイ３０とが一体的に形成される。
【００５５】
第１表示制御回路２０および第２表示制御回路２２のそれぞれは、ＧＰＵおよびＶＲＡＭなどを含んでいる。第１表示制御回路２０のＧＰＵは、ＣＰＵ１２の指示の下、ＲＡＭ１４に記憶された画像生成データ７４ｂ（図５参照）を用いて第１ディスプレイ２８に種々の画面を表示するための表示画像データをＶＲＡＭに生成し、生成した表示画像データを第１ディスプレイ２８に出力する。第２表示制御回路２２のＧＰＵは、ＣＰＵ１２の指示の下、ＲＡＭ１４に記憶された画像生成データ７４ｂを用いて第２ディスプレイ３０に種々の画面を表示するための表示画像データをＶＲＡＭに生成し、生成した表示画像データを第２ディスプレイ３０に出力する。
【００５６】
通信回路３２は、インターネットなどのネットワークに接続するための通信回路である。この通信回路３２は、有線通信回路または無線通信回路であり、ＣＰＵ１２からの指示に従って、ネットワークを介して、外部のコンピュータ（外部端末）と通信する。ただし、通信回路３２は、近距離無線などによって、ネットワークを介さずに、外部のコンピュータと直接通信することも可能である。
【００５７】
なお、図２に示す画像形成装置１０の電気的な構成は単なる一例であり、これに限定される必要はない。
【００５８】
従来の画像形成装置では、第１ディスプレイ２８および第２ディスプレイ３０のうち、一方のディスプレイが使用可能（表示可能）な状態となる場合、他方のディスプレイが使用不可（表示不可能）の状態となる。つまり、従来の画像形成装置では、２つのディスプレイに同時に画像を表示することができない。
【００５９】
このように、従来の画像形成装置では、２つのディスプレイを備えているものの、一方のディスプレイのみにしか画像を表示することができないので、ユーザに提供される情報が限定されてしまう。このため、改善の余地がある。
【００６０】
そこで、この第１実施例では、メインディスプレイに設定されたディスプレイに所定の内容を含むメイン画面を表示させ、サブディスプレイに設定されたディスプレイにメイン画面に含まれる内容に関連する内容を含むサブ画面を表示させるようにした。つまり、画像形成装置１０が備える複数のディスプレイのそれぞれに互いに関連する画面を表示するようにした。
【００６１】
この第１実施例では、メインディスプレイおよびサブディスプレイは、予め設定されている。第１ディスプレイ２８がメインディスプレイに設定され、第２ディスプレイ３０がサブディスプレイに設定される。
【００６２】
メイン画面は、画像形成装置１０に関する内容を含み、画像形成装置１０が実行可能な各種のジョブを実行したり、画像形成装置１０が実行可能な各種の機能を実行したりする際に表示される画面である。たとえば、メイン画面は、設定画面、操作画面およびプレビュー画面などである。また、メイン画面の表示内容は、ユーザによって選択された画像形成装置１０の機能に応じて変更される。
【００６３】
サブ画面には、支援情報、案内情報および補助入力キーなどが含まれる。支援情報は、メイン画面におけるユーザの操作を支援するための情報である。たとえば、支援情報には、メイン画面の表示内容を補完する情報などが含まれる。メイン画面の表示内容を補完する情報には、メイン画面を一部拡大した画像（メイン画面の拡大画像）などが含まれる。
【００６４】
案内情報は、メイン画面の表示内容を案内するための情報である。たとえば、案内情報には、画像形成装置１０の操作方法の説明についての情報および画像形成装置１０の機能の説明についての情報などが含まれる。
【００６５】
補助入力キーは、メインディスプレイにおける操作とは別に、ユーザの操作入力を受け付けるためのソフトウェアキー（機能ボタン）である。なお、ソフトウェアキーとは、たとえば第１タッチパネル２４付きの第１ディスプレイ２８および第２タッチパネル２６付きの第２ディスプレイ３０の表示面上にソフトウェア的に再現されたキーのことを言う。
【００６６】
たとえば、補助入力キーは、キーボード、テンキーおよび手書きパレットなどを含む。図示は省略するが、手書きパレットには、線種、線色、線幅、消しゴム、取り消しを選択するための機能ボタンなどが表示される。
【００６７】
サブ画面の表示内容は、メイン画面の表示内容に応じて自動的に設定される。たとえば、メイン画面の表示内容がユーザに操作入力を要求する内容である場合には、サブ画面には、補助入力キーが表示される。一方、メイン画面の表示内容がユーザに操作入力を要求しない内容である場合には、サブ画面には、案内情報が表示される。
【００６８】
ただし、メインディスプレイには、メイン画面とは異なる初期画面が表示されることがある。この初期画面は、画像形成装置１０が起動したときまたは画像形成装置１０が省電力モードから通常モードに復帰したときなどにメインディスプレイに表示される画面のことである。たとえば、初期画面は、画像形成装置１０が実行可能な各種のジョブから所望のジョブを選択するための画面である。初期画面には、各種のジョブに割り当てられた機能ボタンが表示され、機能ボタンがユーザに操作されることによって、ジョブが選択される。ただし、この第１実施例では、ジョブは、コピー（原稿のスキャンを含む）、印刷（プリント）およびファックスの送信などを意味する。
【００６９】
メインディスプレイに初期画面が表示されている場合、サブディスプレイは非表示にされる。ただし、サブディスプレイが非表示にされるとは、ディスプレイのバックライトが消灯されること（消灯状態）およびディスプレイの周囲の色（背景色）と同じ色の単一色の画像（背景色画像）がディスプレイに表示されることなどを意味する。
【００７０】
次に、サブ画面に案内情報が表示される場合について具体的に説明する。
【００７１】
図３は案内情報テーブルの一例を示す図解図である。図３に示すように、案内情報テーブルは、画像形成装置１０の機能の名称に対応して、メイン画面の表示内容および案内情報が記述される。この案内情報テーブルのデータは、ＲＡＭ１４に記憶される（図５参照）。
【００７２】
メイン画面の表示内容がユーザに操作入力を要求しない内容である場合には、図３に示す案内情報テーブルに従って、メインディスプレイに表示されるメイン画面の表示内容およびサブディスプレイに表示されるサブ画面の表示内容が決定される。
【００７３】
図３に示す案内情報テーブルの例では、画像形成装置１０の機能の名称の欄には、“コピー用紙設定”、“コピー倍率設定”、“コピー機能説明”、“印刷プレビュー”および“ＦＡＱ検索”などのイベント（機能）名が記述される。
【００７４】
ただし、画像形成装置１０の機能の名称の欄に記述される内容は、画像形成装置１０における内部処理で作成および使用されるだけである。このため、イベントが識別可能であれば、イベント名は、数字でもよいし、人間が解読できない記号で記述されてもよい。以下、案内情報テーブルおよび後述する補助入力テーブルにおける記述については同様である。
【００７５】
また、メイン画面の表示内容の欄には、画像形成装置１０の機能の名称に応じたメイン画面の表示内容を示す文字が記述される。さらに、案内情報の欄には、画像形成装置１０の機能の名称に応じた案内情報を示す文字が記述される。
【００７６】
“コピー用紙設定”は、画像読取部４０によって原稿から読み取ったスキャン画像データに応じてコピージョブが実行される場合に、画像が印刷される用紙の用紙サイズおよび用紙種類などが設定されるイベントを意味する。この“コピー用紙設定”が実行される場合には、メイン画面の表示内容は、コピー設定画面に決定される。また、サブ画面の表示内容は、コピー設定画面における用紙設定方法の操作例に決定される。
【００７７】
“コピー倍率設定”は、コピージョブが実行される場合に、原稿から読み取った画像の大きさに対して印刷される画像の拡大（縮小）倍率が設定されるイベントを意味する。この“コピー倍率設定”が実行される場合には、メイン画面の表示内容は、コピー設定画面に決定される。また、サブ画面の表示内容は、コピー設定画面における用紙倍率方法の操作例に決定される。
【００７８】
“コピー機能説明”は、画像形成装置１０においてコピージョブが実行される場合に設定を変更することが可能な項目の内容および実行可能な機能の内容などをユーザに向けて提示するイベントを意味する。この“コピー機能説明”が実行される場合には、メイン画面の表示内容は、コピー設定画面に決定される。また、サブ画面の表示内容は、コピー機能の説明に決定される。なお、サブ画面の表示内容は、実際にユーザが利用するコピー機能に応じて、そのコピー機能に関連した便利な機能またはサービスの内容であっても良い。
【００７９】
“印刷プレビュー”は、コピージョブまたは印刷ジョブが実行される場合に、画像形成に用いられる画像（印刷プレビュー画像）をサブディスプレイの表示面上に表示するイベントを意味する。この“印刷プレビュー”が実行される場合には、メイン画面の表示内容は、印刷プレビュー画像に決定される。また、サブ画面の表示内容は、印刷プレビュー画像の一部を拡大した画像（ルーペ機能）に決定される。
【００８０】
“ＦＡＱ検索”は、画像形成装置１０について頻繁に尋ねられる質問（あらかじめ予想される質問）に対して、その質問および答えをまとめた情報の中から、ユーザが任意の質問および答えを検索するイベントを意味する。たとえば、画像形成装置１０について頻繁に尋ねられる質問は、画像形成装置１０の操作方法、不具合が発生した場合の対処方法などである。また、画像形成装置１０について頻繁に尋ねられる質問に対応するデータは、画像形成装置１０の記憶部（ＨＤＤなどの不揮発性のメモリ）に予め記憶されていても良い。この場合、“ＦＡＱ検索”が実行されると、ユーザの操作に応じて質問の候補がユーザに提示され、ユーザが任意の質問を選択することができる。この“ＦＡＱ検索”が実行される場合には、メイン画面の表示内容は質問検索画面に決定される。また、サブ画面の表示内容は質問に対する回答内容に決定される。
【００８１】
次に、サブ画面に補助入力キーが表示される場合について具体的に説明する。
【００８２】
図４は補助入力テーブルの一例を示す図解図である。図４に示すように、補助入力テーブルは、画像形成装置１０の機能の名称に対応して、メイン画面の表示内容および補助入力キーの種類が記述される。この補助入力テーブルのデータは、案内情報テーブルと同様に、ＲＡＭ１４に記憶される（図５参照）。
【００８３】
メイン画面の表示内容がユーザに操作入力を要求する内容である場合には、図４に示す補助入力テーブルに従って、メインディスプレイに表示されるメイン画面の表示内容およびサブディスプレイに表示されるサブ画面の表示内容が決定される。
【００８４】
図４に示す補助入力テーブルの例では、画像形成装置１０の機能の名称の欄には、“パスワード入力”、“ファイル名入力”および“落書き入力”などが記述される。
【００８５】
また、メイン画面の表示内容の欄には、画像形成装置１０の機能の名称に応じたメイン画面の表示内容を示す文字が記述される。さらに、補助入力キーの種類の欄には、画像形成装置１０の機能の名称に応じた補助入力キーの種類を示す文字が記述される。
【００８６】
“パスワード入力”は、画像形成装置１０がユーザを識別（ユーザ認証）する必要がある場合に、ユーザ認証を行うためにパスワードの入力を要求するイベントを意味する。このイベントでは、パスワードの他に、ユーザを特定するためのユーザＩＤなどの他の情報の入力を要求されることがある。この“パスワード入力”が実行される場合には、メイン画面の表示内容はパスワード入力画面に決定される。また、サブ画面の表示内容はキーボードおよびテンキーに決定される。この場合、サブ画面の補助入力キーが操作されて入力された内容は、メイン画面（パスワード入力画面）に反映される。以下、サブ画面の補助入力キーが操作された場合は同様である。
【００８７】
“ファイル名入力”は、画像データを、画像形成装置１０の記憶部またはネットワーク上のサーバなどに記憶させる場合に、その画像データに対応するファイル名の入力を要求するイベントを意味する。この“ファイル名入力”が実行される場合には、メイン画面の表示内容はファイル名入力画面に決定される。また、サブ画面の表示内容はキーボードおよびテンキーに決定される。
【００８８】
“落書き入力”は、画像データに対応する画像（落書き元画像）に、メモなどの手書き画像を付加するイベントを意味する。落書き元画像としては、スキャン画像データに対応する画像（スキャン画像）または外部のコンピュータから入力される入力画像データに対応する画像が用いられる。この“落書き入力”が実行される場合には、メイン画面の表示内容は落書き入力画面に決定される。落書き入力画面には、落書き元画像が表示される。また、サブ画面の表示内容は手書きパレットに決定される。
【００８９】
以上のように、案内情報テーブルの記述内容および案内情報テーブルに従った画像形成装置１０の動作例と、補助入力テーブルの記述内容および補助入力テーブルに従った画像形成装置１０の動作例とを説明したが、上述した動作例は一例である。他のイベントについての情報が案内情報テーブルまたは補助入力テーブルに記述されていても良い。また、イベントに対応して決定されるメイン画面の表示内容およびサブ画面の表示内容は、イベント毎に適宜設定されれば良い。さらに、サブ画面の表示内容は、ユーザの操作入力の工程またはユーザの操作入力の進捗状況などであっても良い。
【００９０】
また、図示は省略するが、メイン画面には、サブ画面を非表示にするための機能ボタン（非表示ボタン）が表示される。ユーザによって非表示ボタンが操作されると、サブ画面が非表示にされる。つまり、案内情報の表示および補助入力キーの表示が終了する。
【００９１】
画像形成装置１０の上記のような動作は、ＣＰＵ１２がＲＡＭ１４に記憶された制御プログラムを実行することによって実現される。具体的な処理については、後でフロー図を用いて説明する。
【００９２】
図５は図２に示すＲＡＭ１４のメモリマップ７０の一例を示す図解図である。図５に示すように、ＲＡＭ１４は、プログラム記憶領域７２およびデータ記憶領域７４を含む。ＲＡＭ１４のプログラム記憶領域７２には、上述したように、画像形成装置１０の制御プログラムが記憶される。制御プログラムは、操作検出プログラム７２ａ、機能判定プログラム７２ｂ、表示プログラム７２ｃ、画像形成プログラム７２ｄおよび画像読取プログラム７２ｅを含む。
【００９３】
操作検出プログラム７２ａは、画像形成装置１０の各部への操作を検出するためのプログラムである。たとえば、操作検出プログラム７２ａは、第１タッチパネル２４から出力されたタッチ座標データを取得して、第１ディスプレイ２８に表示される初期画面またはメイン画面などの各種の画面に含まれる各種機能ボタンなどが操作されたことを検出するためのプログラムである。また、操作検出プログラム７２ａは、第２タッチパネル２６から出力されたタッチ座標データを取得して、第２ディスプレイ３０に表示されるサブ画面に含まれる各種ボタンおよび補助入力キーが操作されたことなどを検出するためのプログラムでもある。
【００９４】
機能判定プログラム７２ｂは、メイン画面の表示内容（ユーザによって選択された機能）がユーザに操作入力を要求する内容であるかどうかを判定するためのプログラムである。
【００９５】
表示プログラム７２ｃは、第１表示制御回路２０を制御して、初期画面またはメイン画面などの各種の画面を第１ディスプレイ２８に表示するためのプログラムである。また、表示プログラム７２ｃは、第２表示制御回路２２を制御して、サブ画面を第２ディスプレイ３０に表示するためのプログラムである。
【００９６】
画像形成プログラム７２ｄは、画像形成部４２を制御して、スキャン画像データまたは入力画像データなどの画像データに応じて多色または単色の画像を記録媒体（用紙）に形成するためのプログラムである。
【００９７】
画像読取プログラム７２ｅは、画像読取部４０を制御して、原稿載置台に載置された原稿の画像を読み取り（スキャンし）、読み取った画像に対応する画像信号（スキャン画像データ）を出力するためのプログラムである。
【００９８】
なお、図示は省略するが、プログラム記憶領域７２には、画像形成装置１０が備える各種の機能を選択および実行するためのプログラムなども記憶される。
【００９９】
ＲＡＭ１４のデータ記憶領域７４には、タッチ座標データ７４ａ、画像生成データ７４ｂおよびテーブルデータ７４ｃなどが記憶される。
【０１００】
タッチ座標データ７４ａは、操作検出プログラム７２ａに従って検出（取得）されたタッチ座標データである。ただし、上述したようにタッチ座標データは、第１タッチパネル２４のタッチ座標データおよび第２タッチパネル２６のタッチ座標データを含む。第１タッチパネル２４のタッチ座標データおよび第２タッチパネル２６のタッチ座標データのそれぞれは、時系列に従って記憶される。
【０１０１】
画像生成データ７４ｂは、第１ディスプレイ２８および第２ディスプレイ３０に表示する各種の画面に対応する表示画像データを生成するためのポリゴンデータまたはテクスチャデータ等のデータである。また、画像生成データ７４ｂには、メインディスプレイに表示されるメイン画面などの各種の画面に対応するメイン画面データ、サブディスプレイに表示されるサブ画面に対応するサブ画面データが含まれる。
【０１０２】
テーブルデータ７４ｃは、図３に示した案内情報テーブルのデータおよび図４に示した補助入力テーブルのデータを含む。ただし、このテーブルデータ７４ｃは、たとえば、画像形成装置１０の記憶部に記憶されている。テーブルデータ７４ｃは、画像形成装置１０の記憶部から読み出され、ＲＡＭ１４に記憶される。
【０１０３】
なお、図示は省略するが、データ記憶領域７４には、画像読取部４０で読み取られたスキャン画像データ、外部のコンピュータから入力される入力画像データおよび制御プログラムの実行に必要な他のデータが記憶されたり、制御プログラムの実行に必要なレジスタが設けられたりする。
【０１０４】
図６は図１に示す画像形成装置１０の表示処理の一例を示すフロー図である。ただし、表示処理は、画像形成装置１０が起動したときまたは画像形成装置１０が省電力モードから通常モードに復帰したときに開始される。
【０１０５】
図６に示すように、ＣＰＵ１２は、表示処理を開始すると、ステップＳ１で、メインディスプレイに初期画面を表示し、ステップＳ３で、サブディスプレイを非表示にする。
【０１０６】
続くステップＳ５で、初期画面において機能ボタンが操作されたかどうかを判断する。ステップＳ５で“ＮＯ”であれば、つまり、初期画面において機能ボタンが操作されない場合は、ステップＳ１に戻る。一方、ステップＳ５で“ＹＥＳ”であれば、つまり、初期画面において機能ボタンが操作された場合は、ステップＳ７で、メインディスプレイにメイン画面を表示する。ここでは、ステップＳ５で操作された機能ボタンに割り当てられた機能に応じたメイン画面がメインディスプレイに表示される。
【０１０７】
続いて、ステップＳ９では、ステップＳ５で操作された機能ボタンに割り当てられた機能が、入力キーを表示する（操作入力を要求する）機能であるかどうかを判断する。ステップＳ９で“ＹＥＳ”であれば、つまり、入力キーを表示する機能であれば、ステップＳ１１で、サブディスプレイに補助入力キーを表示して、ステップＳ１３で補助入力を終了するかどうかを判断する。ここでは、操作入力が完了したかどうかを判断する。ステップＳ１３で“ＮＯ”であれば、つまり、補助入力を終了しない場合は、同じステップＳ１３に戻る。一方、ステップＳ１３で“ＹＥＳ”であれば、つまり、補助入力を終了する場合は、ステップＳ１に戻る。
【０１０８】
また、ステップＳ９で“ＮＯ”であれば、つまり、入力キーを表示しない機能であれば、ステップＳ１５で、サブディスプレイに案内情報を表示して、ステップＳ１７で、案内を終了するかどうかを判断する。ここでは、ステップＳ５で操作された機能ボタンに割り当てられた機能が終了したかどうかを判断する。また、メインディスプレイにおいて非表示ボタンが操作された場合も、案内を終了すると判断する。ステップＳ１７で“ＮＯ”であれば、つまり、案内を終了しない場合は、同じステップＳ１７に戻る。一方、ステップＳ１７で“ＹＥＳ”であれば、つまり、案内を終了する場合は、ステップＳ１に戻る。
【０１０９】
この第１実施例によれば、メインディスプレイに画像形成装置１０に関する内容を含むメイン画面を表示させ、サブディスプレイに当該メイン画面に関連する内容を含むサブ画面を表示させる。このため、メイン画面およびサブ画面のそれぞれからユーザに付加的な情報を提供することができる。
【０１１０】
また、第１実施例によれば、操作画面におけるユーザの操作を支援する支援情報をユーザに提示できるので、ユーザが支援情報を見ながら画像形成装置１０を操作することができ、使い勝手が良い。
【０１１１】
さらに、第１実施例によれば、サブ画面に補助入力キーが表示されるので、操作入力を受け付けるためにメイン画面に表示された内容を消去したり、メイン画面に表示された内容に補助入力キーが重なったりすることが無い。このため、使い勝手が良い。
【０１１２】
さらにまた、第１実施例によれば、メイン画面の表示内容を案内する案内情報をユーザに提示するので、ユーザがメイン画面の表示内容を理解しやすい。
［第２実施例］
第２実施例の画像形成装置１０では、サブディスプレイに画像形成装置１０の動作状況情報が表示されたり、メインディスプレイまたはサブディスプレイに忘れ物についての報知情報が表示されたりするようにした以外は第１実施例の画像形成装置１０と同じであるため、異なる内容について詳細に説明し、重複する内容については説明を省略する、または、簡単に説明することにする。
【０１１３】
第２実施例の画像形成装置１０では、画像形成装置１０において各種のジョブが実行される場合に、画像形成装置１０の動作状況を示す動作状況情報がサブディスプレイに表示される。ただし、ユーザが各種設定を行う場合など、ジョブが開始されるまでは、第１実施例と同様に、サブディスプレイには案内情報および補助入力キーなどが表示される。
【０１１４】
動作状況情報は、画像形成装置１０で実行中のジョブの進捗状況についての情報などを含む。たとえば、コピージョブが実行された場合には、動作状況情報には、印刷中であること、印刷を一時停止していること、印刷が中止されたことおよび紙詰まりなどの不具合が発生したことなどを示す情報が含まれる。また、プリントジョブが実行された場合には、入力画像データに含まれる画像の枚数（ページ数）および印刷済の用紙の枚数などを示す情報が含まれる。
【０１１５】
また、第２実施例の画像形成装置１０は、図示は省略するが、ユーザの忘れ物を検出するための忘れ物検出センサ（物検出手段に相当）を備える。第２実施例の画像形成装置１０では、忘れ物が存在する場合に、メインディスプレイまたはサブディスプレイに忘れ物についての報知情報が表示される。
【０１１６】
忘れ物検出センサは、ジョブが終了してから所定時間経過後に、画像形成装置１０に原稿または印刷物などのユーザの所有物が有るかどうかを検出する。ユーザの所有物は、原稿、印刷物および記録媒体（ＳＤカード、ＵＳＢメモリまたはＨＤＤドライブなど）などである。この忘れ物検出センサは、原稿検出センサ、印刷物検出センサおよび記録媒体検出センサを含む。
【０１１７】
たとえば、原稿検出センサとしては、原稿押えカバー４０ａの開閉状態を検出するセンサ（開閉検出センサ）であり、透過型の光学センサと原稿押えカバー４０ａの開閉に応じて上下に移動されるアクチュエータで構成される。光学センサは、光を出力する発光部と発光部から出力された光を受光部とを含む。原稿押えカバー４０ａが閉の状態では、アクチュエータは、発光部と受光部との間に位置する。したがって、光学センサでは発光部から出力される光がアクチュエータで遮られ、受光部にその光が入射されない。一方、原稿押えカバー４０ａが開の状態では、アクチュエータは、上方に移動され、発光部と受光部との間に位置しなくなる。したがって、光学センサでは発光部から出力される光が受光部で受光される。
【０１１８】
光学センサの受光部に光が入射されない場合には、原稿押えカバー４０ａが閉の状態であると判断される。また、光学センサの受光部に光が入射された場合には、原稿押えカバー４０ａが開の状態であると判断される。
【０１１９】
第２実施例では、たとえば原稿のスキャンを含むコピージョブが実行された場合、原稿検出センサの出力に基づいて、コピー後に原稿押えカバー４０ａが開閉されたかどうかが判断される。コピー後、所定時間が経過するまでに原稿押えカバー４０ａが開閉された場合には、画像読取部４０に原稿が載置されていない（原稿が回収された）と判断される。また、コピー後、所定時間が経過するまでに原稿押えカバー４０ａが開閉されない場合には、画像読取部４０に原稿が載置されている（原稿が回収されていない）と判断される。
【０１２０】
また、印刷物検出センサとしては、画像形成済みの用紙が排出される胴内排紙部４８に、印刷物検出センサとして機能するアクチュエータを用いた機械的なスイッチが設けられる。ＣＰＵ１２は、このスイッチのオン／オフに基づいて胴内排紙部４８に画像形成済みの用紙が有るかどうかを判断する。
【０１２１】
また、画像形成装置１０が各種の記録媒体を装着可能な接続部（コネクタまたはメモリスロットなど）を備える場合がある。この場合、ＣＰＵ１２は、接続部に装着された記録媒体と直接通信できるか否かに基づいて、接続部に記録媒体が装着されているか否かを検出する記録媒体検出センサとして機能する。
【０１２２】
これらの原稿検出センサおよび印刷物検出センサは一例であり、限定されるべきでない。他のセンサまたは他の方法で、原稿が原稿載置台にあること、画像形成済みの用紙が胴内排紙部４８にあることを検出するようにしてもよい。
【０１２３】
第２実施例の画像形成装置１０では、ジョブが終了してから所定時間経過後、ユーザの所有物の少なくとも１つが残っていると判断された場合には、その所有物が忘れ物であると判断される。
【０１２４】
また、第２実施例の画像形成装置１０では、忘れ物が有ると判断された場合、メインディスプレイまたはサブディスプレイのうち、忘れ物の位置に近いディスプレイに、ユーザに忘れ物の存在を報知するための報知情報が表示される。
【０１２５】
たとえば、忘れ物が原稿である場合、原稿は、原稿載置台に載置された状態である。この場合、第２ディスプレイ（サブディスプレイ）３０よりも第１ディスプレイ（メインディスプレイ）２８が原稿載置台に近いので、第１ディスプレイ２８に、原稿が回収されていない旨の報知情報が表示される。
【０１２６】
また、忘れ物が画像形成済みの用紙である場合、画像形成済みの用紙は、胴内排紙部４８に載置された状態である。この場合、第１ディスプレイ２８よりも第２ディスプレイ３０が胴内排紙部４８に近いので、第２ディスプレイ３０に画像形成済みの用紙が回収されていない旨の報知情報が表示される。
【０１２７】
図７は第２実施例の表示処理の一例を示すフロー図である。第１実施例の表示処理（図６）で説明した処理と同じ処理については、説明を省略するまたは簡単に説明することにする。
【０１２８】
図７に示すように、ＣＰＵ１２は、表示処理を開始すると、ステップＳ７で、メインディスプレイにメイン画面を表示して、ステップＳ３１で、ジョブが実行されるかどうかを判断する。
【０１２９】
ステップＳ３１で“ＮＯ”であれば、つまり、ジョブが実行されない場合は、ステップＳ９に進む。一方、ステップＳ３１で“ＹＥＳ”であれば、つまり、ジョブが実行される場合は、ステップＳ３３で、ジョブを開始する。
【０１３０】
続いて、ステップＳ３５で、画像形成装置１０の動作状況を検出して、ステップＳ３７で、サブディスプレイに動作状況情報を表示し、ステップＳ３９に進む。
【０１３１】
ステップＳ３９では、ジョブが終了したかどうかを判断する。ステップＳ３９で“ＮＯ”であれば、つまり、ジョブが終了していない場合は、ステップＳ３５に戻る。一方、ステップＳ３９で“ＹＥＳ”であれば、つまり、ジョブが終了した場合は、ステップＳ４１で、忘れ物があるかどうかを判断する。
【０１３２】
ステップＳ４１で“ＮＯ”であれば、つまり、忘れ物が無い場合は、ステップＳ１９に進む。一方、ステップＳ４１で“ＹＥＳ”であれば、つまり、忘れ物がある場合は、ステップＳ４３で、忘れ物の位置を検出して、ステップＳ４５で、忘れ物の位置がメインディスプレイに近いかどうかを判断する。ここでは、忘れ物の位置が、サブディスプレイよりもメインディスプレイに近いかどうかを判断する。
【０１３３】
ステップＳ４５で“ＹＥＳ”であれば、つまり、忘れ物の位置がメインディスプレイに近い場合は、ステップＳ４７で、忘れ物の存在をユーザに報知するための報知画面をメインディスプレイに表示して、ステップＳ１に戻る。一方、ステップＳ４５で“ＮＯ”であれば、つまり、忘れ物の位置がメインディスプレイから遠い（サブディスプレイに近い）場合は、ステップＳ４９で、忘れ物の存在をユーザに報知するための報知画面をサブディスプレイに表示して、ステップＳ１に戻る。
【０１３４】
なお、ステップＳ７までの処理、ステップＳ９以降の処理の内容については、第１実施例と同じであるので説明を省略する。
【０１３５】
この第２実施例によれば、サブディスプレイに画像形成装置１０の動作状況情報が表示されるので、画像形成装置１０の動作状況についての情報などをユーザに提示することができ、画像形成装置１０の使い勝手を向上させることができる。
【０１３６】
また、第２実施例によれば、メインディスプレイまたはサブディスプレイに忘れ物（ユーザの所有物）についての報知情報が表示されるので、画像形成装置１０に原稿または画像形成済みの用紙などの忘れ物があった場合に、当該忘れ物の紛失を予防することができる。
【０１３７】
なお、第２実施例では、忘れ物がある場合に、メインディスプレイまたはサブディスプレイのいずれか一方に報知情報が表示されるようにしたが、画像形成装置１０が備える全てのディスプレイに報知情報が表示されるようにしても良い。
［第３実施例］
第３実施例の画像形成装置１０では、第１ディスプレイ２８および第２ディスプレイ３０において不具合が発生した場合に、不具合の影響に応じて、メインディスプレイを変更するようにした以外は、第１実施例と同じであるため、異なる内容について説明し、重複した説明については省略する、または簡単に説明することにする。
【０１３８】
画像形成装置１０が備える複数のディスプレイにおいてハードウェアまたはソフトウェアの不具合が発生することがある。この場合、不具合の影響によって、ディスプレイが表示不可能となることがある。第３実施例の画像形成装置１０では、第１ディスプレイ２８（第１表示制御回路２０）および第２ディスプレイ３０（第２表示制御回路２２）のそれぞれと、ＣＰＵ１２とは、双方向通信が可能に接続される。第１ディスプレイ２８または第２ディスプレイ３０において不具合が発生した場合には、第１表示制御回路２０または第２表示制御回路２２から不具合が発生したことを示す信号が出力される。
【０１３９】
第３実施例の画像形成装置１０では、メインディスプレイに設定されたディスプレイにおいて表示不可能となる不具合が発生した場合には、メインディスプレイが変更されることがある。たとえば、第１ディスプレイ２８がメインディスプレイとして設定されている場合に、第１ディスプレイ２８が表示不可能となる不具合が発生したとする。この場合、第２ディスプレイ３０が表示可能であれば、第２ディスプレイ３０がメインディスプレイとして設定される。このとき、第１ディスプレイ２８は非表示にされる。
【０１４０】
また、画像形成装置１０が備える全てのディスプレイにおいて不具合が発生し、全てのディスプレイが表示不可能となる場合がある。たとえば、第１ディスプレイ２８および第２ディスプレイ３０の両方において表示不可能となるような不具合が発生することがある。この場合、メインディスプレイは変更されない。また、第１ディスプレイ２８および第２ディスプレイ３０の両方が非表示にされる。
【０１４１】
さらに、メインディスプレイとして設定されているディスプレイにおいて不具合が発生した場合であっても、表示不可能とならないような不具合であれば、メインディスプレイが変更されないことがある。たとえば、第１ディスプレイ２８がメインディスプレイとして設定されている場合に、第１ディスプレイ２８において不具合が発生した場合であっても、表示不可能とならない不具合であれば、メインディスプレイは変更されない。また、不具合が発生した場合であっても、画像形成装置１０が備える全てのディスプレイが表示可能な場合がある。この場合、メインディスプレイは変更されない。
【０１４２】
第３実施例の画像形成装置１０では、画像形成装置１０が備えるディスプレイにおいて不具合が発生した場合に、不具合が発生したことをユーザに報知する。たとえば、いずれかのディスプレイが表示可能であれば、表示可能なディスプレイに不具合を報知するためのメッセージなどを含む報知画面が表示される。また、全てのディスプレイが表示不可能となる場合には、不具合を報知する音（メロディ）または音声などが出力される。
【０１４３】
図示は省略するが、第３実施例では、ＲＡＭ１４のプログラム記憶領域７２に記憶される制御プログラムは、不具合検出プログラムおよび判断プログラムを含む。
【０１４４】
不具合検出プログラムは、第１表示制御回路２０および第２表示制御回路２２のそれぞれから出力される信号に応じて、第１表示制御回路２０に接続される第１ディスプレイ２８および第２表示制御回路２２に接続される第２ディスプレイ３０において発生した不具合を検出するためのプログラムである。
【０１４５】
判断プログラムは、不具合検出プログラムに従って不具合が検出された場合に、画像形成装置１０が備えるディスプレイ（たとえば第１ディスプレイ２８および第２ディスプレイ３０）のそれぞれが表示可能であるかどうかを判断するためのプログラムである。
【０１４６】
図８は第３実施例の不具合処理の一例を示すフロー図である。この不具合処理は、上述した表示処理と並行して実行される。
【０１４７】
図８に示すように、ＣＰＵ１２は、不具合処理を開始すると、ステップＳ７１で、第１ディスプレイ２８および第２ディスプレイ３０における不具合を検出したかどうかを判断する。
【０１４８】
ステップＳ７１で“ＮＯ”であれば、つまり、不具合を検出しない場合は、同じステップＳ７１に戻る。一方、ステップＳ７１で“ＹＥＳ”であれば、つまり、不具合を検出した場合は、ステップＳ７３で、不具合の影響を検出し、ステップＳ７５で、全てのディスプレイが表示可能かどうかを判断する。
【０１４９】
ステップＳ７５で“ＹＥＳ”であれば、つまり、全てのディスプレイが表示可能である場合は、ステップＳ８７に進む。ステップＳ７５で“ＮＯ”であれば、つまり、表示不可能なディスプレイが存在する場合は、ステップＳ７７で、表示可能なディスプレイがあるかどうかを判断する。
【０１５０】
ステップＳ７７で“ＮＯ”であれば、つまり、全てのディスプレイが表示不可能である場合は、ステップＳ７９で、全てのディスプレイを非表示にして、ステップＳ８１で、不具合を報知する音または音声を出力して、不具合処理を終了する。
【０１５１】
一方、ステップＳ７７で“ＹＥＳ”であれば、つまり、表示可能なディスプレイがあれば、ステップＳ８３で、表示可能なディスプレイをメインディスプレイとして設定し、ステップＳ８５で、表示不可能なディスプレイを非表示にして、ステップＳ８７に進む。ただし、ステップＳ８３では、表示可能なディスプレイが既にメインディスプレイに設定されている場合には、メインディスプレイを変更しない。
【０１５２】
ステップＳ８７では、不具合を報知するためのメッセージなどを含む報知画面をメインディスプレイに表示して、不具合処理を終了する。
【０１５３】
この第３実施例によれば、第１ディスプレイ２８および第２ディスプレイ３０において不具合が発生した場合に、不具合の影響に応じて、メインディスプレイを変更する。このため、不具合が発生した場合でも、表示可能なディスプレイが存在すれば、ユーザが画像形成装置１０を使用することができる。
【０１５４】
なお、ディスプレイの不具合には、そのディスプレイに設けられたタッチパネルの不具合も含まれる。タッチパネルが使用不可能となった場合、そのタッチパネルが設けられるディスプレイが表示不可能であると判断される。
【０１５５】
また、第３実施例に示した態様は、第２実施例にも組み合わせて採用することが可能である。
［第４実施例］
第４実施例の画像形成装置１０では、画像形成装置１０（装置本体４４）に対するユーザの高さに応じて、メインディスプレイを設定するようにした以外は、第１実施例と同じであるため、異なる内容について説明し、重複した説明については省略する、または簡単に説明することにする。
【０１５６】
図９（Ａ）は第４実施例において或るユーザが画像形成装置１０を使用する場合を右側から見た側面図である。図９（Ｂ）は第４実施例において他のユーザが画像形成装置１０を使用する場合を右側から見た側面図である。
【０１５７】
第４実施例の画像形成装置１０は、図９（Ａ）および図９（Ｂ）に示すように、第１人検出センサ５０、第２人検出センサ５２および第３人検出センサ５４をさらに備える。第１人検出センサ５０、第２人検出センサ５２および第３人検出センサ５４は、画像形成装置１０を使用するユーザの画像形成装置１０（装置本体４４）に対する高さを検出するためのセンサ（高さ検出手段）である。ここで、画像形成装置１０に対するユーザの高さとは、たとえばユーザの頭部の高さを意味する。
【０１５８】
第１人検出センサ５０、第２人検出センサ５２および第３人検出センサ５４は、それぞれ異なる高さに配置される。第１人検出センサ５０は、第２人検出センサ５２よりも上側に配置される。第３人検出センサ５４は、第２人検出センサ５２よりも下側に配置される。
【０１５９】
たとえば、第１人検出センサ５０は、第１ディスプレイ２８の前面の下端部に配置される。第２人検出センサ５２は、画像読取部４０の前面に配置される。第３人検出センサ５４は、画像形成部４２の前面に配置される。
【０１６０】
第１人検出センサ５０、第２人検出センサ５２および第３人検出センサ５４のそれぞれは、画像形成装置１０の前方の所定の範囲に存在する人（ユーザ）を検出するための距離センサであり、たとえば、赤外線センサ、超音波センサおよびレーザ距離センサ等が用いられる。この第４実施例では、ＣＰＵ１２は、第１人検出センサ５０、第２人検出センサ５２および第３人検出センサ５４のいずれかによって検出される距離データが示す距離が所定距離以内である場合に、画像形成装置１０の前に人が存在することを検出する。
【０１６１】
また、第４実施例では、第１人検出センサ５０、第２人検出センサ５２および第３人検出センサ５４のそれぞれが配置される高さにおいて人が存在するかどうかが検出される。ただし、ユーザ毎に、画像形成装置１０に対する高さが異なる。画像形成装置１０に対するユーザの高さは、通常であればそのユーザの身長に応じた高さとなる。したがって、身長が高いユーザであれば、画像形成装置１０に対するそのユーザの高さが高くなり、身長が低いユーザであれば、画像形成装置１０に対するそのユーザの高さが低くなる。このように、ユーザ毎に画像形成装置１０に対する高さが異なる場合ので、ユーザ毎に、第１人検出センサ５０、第２人検出センサ５２および第３人検出センサ５４のそれぞれの検出結果が異なる。また、画像形成装置１０に対する高さが異なることとは、目線の高さ（目の位置の高さまたは頭部の高さ）が異なるとも言える。
【０１６２】
たとえば、図９（Ａ）に示すように、画像形成装置１０に対するユーザの高さが所定の高さよりも高い（身長が高い）ユーザが画像形成装置１０の前に立った場合、第１人検出センサ５０、第２人検出センサ５２および第３人検出センサ５４のそれぞれが配置される全ての高さにおいてそのユーザの存在が検出される。この場合、画像形成装置１０に対するユーザの高さが所定の高さ以上であると判断される。
【０１６３】
一方、図９（Ｂ）に示すように、画像形成装置１０に対するユーザの高さが所定の高さよりも低い（たとえば身長が低い）ユーザが画像形成装置１０の前に立った場合、第２人検出センサ５２および第３人検出センサ５４のそれぞれが配置される高さにおいて、そのユーザの存在が検出される。一方、第１人検出センサ５０が配置される高さにおいては、そのユーザの存在が検出されない。この場合、ＣＰＵ１２は、画像形成装置１０に対するユーザの高さが所定の高さ未満であると判断する。また、上述したように、身長が高いユーザであっても、車椅子に乗車した状態では、第１人検出センサ５０が配置される高さにおいてはそのユーザの存在が検出されない。このため、画像形成装置１０に対するユーザの高さが所定の高さ未満であると判断される。
【０１６４】
この第４実施例では、画像形成装置１０に対するユーザの高さが所定の高さ以上であると判断された場合、上側に配置される第１ディスプレイ２８がメインディスプレイに設定される。画像形成装置１０に対するユーザの高さが高い場合、そのユーザの目線の高さも高いと考えられるからである。また、ユーザの目線の高さが所定の高さ未満であると判断された場合、下側に配置される第２ディスプレイ３０がメインディスプレイに設定される。画像形成装置１０に対するユーザの高さが低い場合、そのユーザの目線の高さも低いと考えられるからである。
【０１６５】
なお、第４実施例では、画像形成装置１０に対するユーザの高さを検出するためのセンサとして、第１人検出センサ５０、第２人検出センサ５２および第３人検出センサ５４を用いるようにしたが、これに限定される必要は無い。たとえば、第１人検出センサ５０、第２人検出センサ５２および第３人検出センサ５４に代えて、カメラを用いても良い。この場合には、カメラで撮影された撮影画像から人の像を検出し、撮影画像における人の像の位置および大きさに応じて、画像形成装置１０に対するユーザの高さを検出する。
【０１６６】
図１０は第４実施例の画面選択処理の一例を示すフロー図である。この画面選択処理は、上述した表示処理と並行して実行される。
【０１６７】
図１０に示すように、ＣＰＵ１２は、画面選択処理を開始すると、ステップＳ１０１で、ユーザを検出したかどうかを判断する。ステップＳ１０１で“ＮＯ”であれば、つまり、ユーザを検出しない場合は、同じステップＳ１０１に戻る。一方、ステップＳ１０１で“ＹＥＳ”であれば、つまり、ユーザを検出した場合は、ステップＳ１０３で、ユーザの目線の高さが所定の高さ以上かどうかを判断する。
【０１６８】
ステップＳ１０３で“ＹＥＳ”であれば、つまり、ユーザの目線の高さが所定の高さ以上である場合は、ステップＳ１０５で、第１ディスプレイ２８をメインディスプレイに設定し、ステップＳ１０７で、第２ディスプレイ３０をサブディスプレイに設定して、ステップＳ１１３に進む。
【０１６９】
ステップＳ１０３で“ＮＯ”であれば、つまり、ユーザの目線の高さが所定の高さ未満である場合は、ステップＳ１０９で、第２ディスプレイ３０をメインディスプレイに設定し、ステップＳ１１１で、第１ディスプレイ２８をサブディスプレイに設定して、ステップＳ１１３に進む。
【０１７０】
ステップＳ１１３では、画像選択処理を終了するかどうかを判断する。ステップＳ１１３で“ＮＯ”であれば、つまり、画像選択処理を終了しない場合は、ステップＳ１に戻る。一方、ステップＳ１１３で“ＹＥＳ”であれば、画像選択処理を終了する。
【０１７１】
この第４実施例によれば、画像形成装置１０に対するユーザの高さに合わせてメインディスプレイが設定されるので、使い勝手が良い。
【０１７２】
なお、第４実施例に示した態様は、第２実施例および第３実施例にも組み合わせて採用することが可能である。
【０１７３】
また、上述の実施例では、第１ディスプレイ２８および第２ディスプレイ３０が画像形成装置１０に設けられるようにしたが、これに限定される必要は無い。たとえば、図１１に示すように、画像形成装置１０が、スーパーマーケットまたはコンビニエンスストアなどの店舗に配置される場合には、画像形成装置１０の一部として機能するまたは画像形成装置１０と協働して画像形成システムを構成する情報処理装置８０が設けられる場合がある。情報処理装置８０は、装置本体４４に隣接して設けられ、ＣＰＵ１２と有線または無線で通信可能に接続される。また、情報処理装置８０は、第３タッチパネル８２付きの第３ディスプレイ８４、硬貨投入口、硬貨返却口および釣銭返却ボタンなどを含む課金部、各種の記録媒体（ＳＤカードまたはＵＳＢメモリなど）を装着可能な接続部（メモリスロットなど）およびＣＰＵを含む制御部などを備える。この場合、装置本体４４には、第１ディスプレイ２８および第２ディスプレイ３０の一方が設けられれば良い。たとえば、装置本体４４に第２ディスプレイ３０が設けられる場合には、第２ディスプレイ３０および第３ディスプレイ８４の一方が、メインディスプレイに設定され、第２ディスプレイ３０および第３ディスプレイ８４の他方が、サブディスプレイに設定される。ただし、情報処理装置８０が画像形成装置１０の一部として機能する場合は、画像形成装置１０のＣＰＵ１２が表示処理についての制御を行う。また、画像形成装置１０および情報処理装置８０を含む画像形成システムが構成される場合は、画像形成装置１０のＣＰＵ１２が画像形成システムの表示処理についての制御を行っても良いし、情報処理装置８０のＣＰＵが画像形成システムの表示処理についての制御を行っても良い。
【０１７４】
さらに、上述の実施例で挙げた具体的な構成等は一例であり、実際の製品に応じて適宜変更することが可能である。
【０１７５】
さらにまた、上述の実施例で示したフロー図の各ステップは、同じ結果が得られるのであれば、処理される順番は適宜変更することが可能である。
【符号の説明】
【０１７６】
１０  …画像形成装置
１２  …ＣＰＵ
１４  …ＲＡＭ
２４  …第１タッチパネル
２８  …第１ディスプレイ
２６  …第２タッチパネル
３０  …第２ディスプレイ
４０  …画像読取部
４２  …画像形成部
４４  …装置本体
【図１】
2018169415.tif 000003
【図２】
2018169415.tif 000004
【図３】
2018169415.tif 000005
【図４】
2018169415.tif 000006
【図５】
2018169415.tif 000007
【図６】
2018169415.tif 000008
【図７】
2018169415.tif 000009
【図８】
2018169415.tif 000010
【図９】
2018169415.tif 000011
【図１０】
2018169415.tif 000012
【図１１】
2018169415.tif 000013